(57)【要約】【課題】放電部にめっき液が侵入することを抑制し、且つ、浮遊容量を低減する。【解決手段】静電気保護部品１Ａのグラウンド電極２０は、第１対向部２０ｃ、第２対向部２０ｄ、第１引出部２０ａ、及び第２引出部２０ｂを有する。第１引出部２０ａは、外部電極９に接続される第１部分２０ａ１と、第１対向部２０ｃ及び第２対向部２０ｄと同一の層に配置され且つ第１対向部２０ｃ及び第２対向部２０ｄのそれぞれの一端に接続される第２部分２０ａ２と、を含む。第２引出部２０ｂは、外部電極１０に接続される第１部分２０ｂ１と、第１対向部２０ｃ及び第２対向部２０ｄと同一の層に配置され且つ第１対向部２０ｃ及び第２対向部２０ｄのそれぞれの他端に接続される第２部分２０ｂ２と、を含む。第１引出部２０ａ及び第２引出部２０ｂのそれぞれの幅が、第１対向部２０ｃの幅と第２対向部２０ｄの幅との和よりも小さい。【選択図】図３
2015125913.tif 000002
【特許請求の範囲】
【請求項１】
複数の絶縁体層が積層されてなる素体と、
前記素体の内部に配置されたグラウンド電極と、
前記グラウンド電極と互いに離間して配置され、前記グラウンド電極とで一の放電部を構成する第１対向電極と、
前記グラウンド電極と互いに離間して配置され、前記グラウンド電極とで一の放電部を構成する第２対向電極と、
前記グラウンド電極に接続され且つ前記素体の外表面に配置された第１外部電極と、
前記グラウンド電極に接続され且つ前記素体の外表面に配置された第２外部電極と、
前記第１対向電極に接続され且つ前記素体の外表面に配置された第３外部電極と、
前記第２対向電極に接続され且つ前記素体の外表面に配置された第４外部電極と、
を備え、
前記グラウンド電極は、前記第１対向電極及び前記第２対向電極と同一の層に配置され且つ前記第１対向電極とで前記放電部を構成する第１対向部と、前記第１対向電極及び前記第２対向電極と同一の層に配置され且つ前記第２対向電極とで前記放電部を構成する第２対向部と、前記第１外部電極と前記第１対向部及び前記第２対向部とに接続される第１引出部と、前記第２外部電極と前記第１対向部及び前記第２対向部とに接続される第２引出部と、を有し、
前記第１引出部は、前記第１外部電極に接続される第１部分と、前記第１対向部及び前記第２対向部と同一の層に配置され且つ前記第１対向部及び前記第２対向部のそれぞれの一端に接続される第２部分と、を含み、
前記第２引出部は、前記第２外部電極に接続される第１部分と、前記第１対向部及び前記第２対向部と同一の層に配置され且つ前記第１対向部及び前記第２対向部のそれぞれの他端に接続される第２部分と、を含み、
前記第１引出部及び前記第２引出部のそれぞれの幅が、前記第１対向部の幅と前記第２対向部の幅との和よりも小さい、静電気保護部品。
【請求項２】
前記第１引出部及び前記第２引出部のうちの少なくとも１つにおいて、前記第１部分と前記第２部分とが、異なる層に配置されると共にスルーホール導体を介して電気的に接続されている、
請求項１に記載の静電気保護部品。
【発明の詳細な説明】
【技術分野】
【０００１】
本発明は、静電気保護部品に関する。
【背景技術】
【０００２】
複数の絶縁体層が積層されてなる素体と、素体の内部の同一層において互いに離間して配置された複対向電極対向電極及びグラウンド電極と、対向電極及びグラウンド電極を含んで構成される２以上の放電部と、を備える静電気保護部品が知られている（例えば、特許文献１参照）。特許文献１に記載の静電気保護部品では、対向電極及びグラウンド電極が、同一の層においてそれぞれ素体の外表面へと引き出されて露出することにより、当該素体の外表面に配置された各外部電極と接続されている。
【先行技術文献】
【特許文献】
【０００３】
【特許文献１】特開２０１３−１１４７８８号公報
【発明の概要】
【発明が解決しようとする課題】
【０００４】
上記特許文献１に記載の静電気保護部品では、同一の層に複数の電極が配置されて、且つ、当該複数の電極が同一の層において素体の外表面へ引き出されているので、同一の層における電極の総面積が多いものとなっている。このため、絶縁体層同士の密着性が悪く、構造上の欠陥が発生する可能性が高くなる。
【０００５】
外部電極は、導電性ペーストを塗布して乾燥させた後に、電気めっきを行うことで形成されるため、静電気保護部品は製造過程において必ずめっき液に曝される。したがって、静電気保護部品に構造上の欠陥が発生し易くなると、絶縁体層に配置された各電極における、素体の外表面へ露出する部分から、素体内にめっき液が侵入し易くなってしまう。その結果、素体内で放電を生じる放電部にまでめっき液が侵入し、当該めっき液によりギャップ部が繋がってショートしてしまうおそれがある。そこで、各電極における、素体の外表面へ露出する部分からの素体内へのめっき液の侵入を、出来る限り抑制する必要がある。
【０００６】
静電気保護部品は、静電気が印加されると、対向電極とグラウンド電極との間の離間部分、即ち放電部において放電を生じ、グラウンド電極に接続される外部電極を通ってグラウンドへと静電気を流す。これにより、静電気保護部品は電子機器を静電気から保護しているが、放電が繰り返されるにつれて、グラウンド電極が細くなり、結果的に静電気保護部品としての機能を果たせなくなるおそれがある。
【０００７】
これを抑制するため、グラウンド電極は所望の幅を確保することが求められているが、例えば上記特許文献１に記載の静電気保護部品においてグラウンド電極の幅を大きくすると、素体内へめっき液が侵入し易くなるおそれがある。具体的に、上記特許文献１に記載の静電気保護部品では、グラウンド電極が一定の幅のまま素体の外表面へと引き出されて素体の外表面に露出している。このため、グラウンド電極の幅を大きくすると、グラウンド電極が素体の外表面に露出する部分も大きくなる。これにより、グラウンド電極における、素体の外表面へ露出する部分から、素体内にめっき液が侵入し易くなってしまう。
【０００８】
更に、グラウンド電極の幅を大きくすると、浮遊容量が大きくなってしまうという問題がある。
【０００９】
本発明は、放電部にめっき液が侵入することを抑制し、且つ、浮遊容量を低減することが可能な静電気保護部品を提供することを目的とする。
【課題を解決するための手段】
【００１０】
本発明に係る静電気保護部品は、複数の絶縁体層が積層されてなる素体と、素体の内部に配置されたグラウンド電極と、グラウンド電極と互いに離間して配置され、グラウンド電極とで一の放電部を構成する第１対向電極と、グラウンド電極と互いに離間して配置され、前記グラウンド電極とで一の放電部を構成する第２対向電極と、グラウンド電極に接続され且つ素体の外表面に配置された第１外部電極と、グラウンド電極に接続され且つ素体の外表面に配置された第２外部電極と、第１対向電極に接続され且つ素体の外表面に配置された第３外部電極と、第２対向電極に接続され且つ素体の外表面に配置された第４外部電極と、を備え、グラウンド電極は、第１対向電極及び第２対向電極と同一の層に配置され且つ第１対向電極とで放電部を構成する第１対向部と、第１対向電極及び第２対向電極と同一の層に配置され且つ第２対向電極とで放電部を構成する第２対向部と、第１外部電極と第１対向部及び第２対向部とに接続される第１引出部と、第２外部電極と第１対向部及び第２対向部とに接続される第２引出部と、を有し、第１引出部は、第１外部電極に接続される第１部分と、第１対向部及び第２対向部と同一の層に配置され且つ第１対向部及び第２対向部のそれぞれの一端に接続される第２部分と、を含み、第２引出部は、第２外部電極に接続される第１部分と、第１対向部及び第２対向部と同一の層に配置され且つ第１対向部及び第２対向部のそれぞれの他端に接続される第２部分と、を含み、第１引出部及び第２引出部のそれぞれの幅が、第１対向部の幅と第２対向部の幅との和よりも小さい。
【００１１】
本発明に係る静電気保護部品では、グラウンド電極における、第１引出部及び第２引出部のそれぞれの幅が、第１対向部の幅と第２対向部の幅との和よりも小さいので、第１引出部及び第２引出部が素体の外表面へ露出する部分が、第１対向部の幅と第２対向部の幅との和よりも小さい。よって、グラウンド電極の幅が一定のまま素体の外表面へ引き出される場合よりも、グラウンド電極における素体の外表面へ露出する部分の大きさが小さい。したがって、当該露出する部分から素体の内部へめっき液が侵入することを抑制することができ、且つ、全体としてグラウンド電極が小さくなる分、浮遊容量を低減することができる。さらに、グラウンド電極の第１対向部と第２対向部とは、第１引出部における、第１対向部及び第２対向部と同一の層に配置された第２部分にそれぞれの一端が接続されると共に、第２引出部における、第１対向部及び第２対向部と同一の層に配置された第２部分にそれぞれの他端が接続される。つまり、第１対向部及び第２対向部は、第１引出部の第２部分にて分岐するように延び、且つ、第２引出部の第２部分にて分岐するように延びている。このため、第１引出部及び第２引出部における、素体の外表面へ露出する部分からめっき液が侵入した場合であっても、当該めっき液の侵入経路は、第１部分を通った後、第２部分にて分岐される。したがって、第１対向部及び第２対向部にまでめっき液が侵入することを抑制することができる。
【００１２】
第１引出部及び第２引出部のうちの少なくとも１つにおいて、第１部分と第２部分とが、異なる層に配置されると共にスルーホール導体を介して電気的に接続されていてもよい。この場合、同一の層内における電極の面積を少なくすることができ、絶縁体層同士の密着性が向上するので、構造上の欠陥が発生する可能性を低くすることができる。したがって、構造上の欠陥によるめっき液の侵入を抑制することができる。
【発明の効果】
【００１３】
本発明によれば、放電部にめっき液が侵入することを抑制し、且つ、浮遊容量を低減することが可能な静電気保護部品を提供することができる。
【図面の簡単な説明】
【００１４】
【図１】第１及び第２実施形態に係る静電気保護部品を示す斜視図である。
【図２】第１実施形態に係る素体の構成を示す分解斜視図である。
【図３】図２の第１〜第４放電部を含む部分の構成を示す分解斜視図である。
【図４】第１実施形態に係る静電気保護部品の、第１放電部及び第３放電部を含む断面構成を示す図である。
【図５】第１実施形態に係る静電気保護部品の、第２放電部及び第４放電部を含む断面構成を示す図である。
【図６】第１実施形態に係る静電気保護部品の製造方法を示すフロー図である。
【図７】第２実施形態に係る素体の構成を示す分解斜視図である。
【図８】図７の第１〜第４放電部を含む部分の構成を示す分解斜視図である。
【図９】第２実施形態に係る静電気保護部品の、第１放電部及び第３放電部を含む断面構成を示す図である。
【図１０】第２実施形態に係る静電気保護部品の、第２放電部及び第４放電部を含む断面構成を示す図である。
【発明を実施するための形態】
【００１５】
以下、添付図面を参照して、本発明の好適な実施形態について詳細に説明する。なお、説明において、同一要素又は同一機能を有する要素には、同一符号を用いることとし、重複する説明は省略する。
【００１６】
（第１実施形態）
まず、図１〜図５を参照して、第１実施形態に係る静電気保護部品の構成を説明する。図１は、第１及び第２実施形態に係る静電気保護部品を示す斜視図である。図２は、第１実施形態に係る素体の構成を示す分解斜視図である。図３は、図２の第１〜第４放電部を含む部分の構成を示す分解斜視図である。図４は、第１実施形態に係る静電気保護部品の、第１放電部及び第３放電部を含む断面構成を示す図である。図５は、第１実施形態に係る静電気保護部品の、第２放電部及び第４放電部を含む断面構成を示す図である。
【００１７】
本実施形態に係る静電気保護部品１Ａは、電子機器の回路基板に実装され、ＥＳＤ（Electro-Static  Discharge：静電気放電）から電子機器を保護する電子部品である。図１〜図５に示されるように、静電気保護部品１Ａは、略直方体形状を呈する素体４と、素体４の外表面に配置された外部電極５〜１０と、素体４の内部に配置された対向電極１２，１４，１６，１８と、素体４の内部に配置されたグラウンド電極２０と、素体４の内部に配置された２以上の放電部（第１放電部ＧＰ１、第２放電部ＧＰ２、第３放電部ＧＰ３、及び第４放電部ＧＰ４）と、素体４の内部に配置された放電誘発部２４，２５と、素体４の内部に配置された空洞部２６〜２９と、素体４の内部に配置されたコイルＬ１，Ｌ２と、を備えている。以下、素体４の積層方向をＺ方向（上下方向）、積層方向の端面及び断面における短手方向（以下、単に「素体４の短手方向」という）をＸ方向、長手方向（以下、単に「素体４の長手方向」という）をＹ方向とする。
【００１８】
素体４は、複数の絶縁体層１１が積層されて構成されている。各絶縁体層１１は、略長方形状を有している。各絶縁体層１１は、電気絶縁性を有する絶縁体であり、絶縁体グリーンシートの焼結体から構成される。実際の素体４では、各絶縁体層１１は、その間の境界が視認できない程度に一体化されている。素体４は、外表面として、互いに対向する一対の端面４ａ，４ｂと、端面４ａ，４ｂに隣り合う四つの側面を有している。四つの側面のうち一の側面４ｃは、図示しない他の電子機器（例えば、回路基板又は電子部品など）に対面する面（実装面）として規定されている。
【００１９】
外部電極５は、素体４の側面４ｅに配置されている。外部電極５は、素体４の長手方向（図のＹ方向）における、端面４ｂよりも端面４ａに近い位置に配置されている。外部電極５は、その一部が素体４の側面４ｃ及び素体４の側面４ｄに回り込むようにして形成されている。
【００２０】
外部電極６は、素体４の側面４ｆに配置されている。外部電極６は、素体４の長手方向における、端面４ｂよりも端面４ａに近い位置に配置されている。外部電極６は、その一部が素体４の側面４ｃ及び素体４の側面４ｄに回り込むようにして形成されている。
【００２１】
外部電極７は、素体４の側面４ｅに配置されている。外部電極７は、素体４の長手方向における、端面４ａよりも端面４ｂに近い位置に配置されている。外部電極７は、その一部が素体４の側面４ｃ及び素体４の側面４ｄに回り込むようにして形成されている。
【００２２】
外部電極８は、素体４の側面４ｆに配置されている。外部電極８は、素体４の長手方向における、端面４ａよりも端面４ｂに近い位置に配置されている。外部電極８は、その一部が素体４の側面４ｃ及び素体４の側面４ｄに回り込むようにして形成されている。
【００２３】
外部電極９は、素体４の端面４ａに配置されている。外部電極９は、素体４の短手方向（図のＸ方向）における、略中央の位置に配置されている。外部電極９は、その一部が素体４の側面４ｃ及び素体４の側面４ｄに回り込むようにして形成されている。
【００２４】
外部電極１０は、素体４の端面４ｂに配置されている。外部電極１０は、素体４の短手方向における、略中央の位置に配置されている。外部電極１０は、その一部が素体４の側面４ｃ及び素体４の側面４ｄに回り込むようにして形成されている。
【００２５】
対向電極１２は、素体４の長手方向における、端面４ｂよりも端面４ａに近い位置で、且つ、素体４の短手方向における、側面４ｆよりも側面４ｅに近い位置で配置されている。対向電極１２は、Ｌ字形状を有している。対向電極１２は、引出部１２ａ及び対向部１２ｂを有している（図３参照）。引出部１２ａと対向部１２ｂとは、同一の絶縁体層１１に配置されている。引出部１２ａは、素体４の短手方向に沿って延在している。引出部１２ａの端部１２ｃは、素体４の側面４ｅ側に引き出され、当該側面４ｅに露出しており、外部電極５に接続される。対向部１２ｂは、素体４の長手方向に沿って延在している。
【００２６】
対向電極１４は、素体４の長手方向における、端面４ａよりも端面４ｂに近い位置で、且つ、素体４の短手方向における、側面４ｆよりも側面４ｅに近い位置で配置されている。対向電極１４は、Ｌ字形状を有している。対向電極１４は、引出部１４ａ及び対向部１４ｂを有している。引出部１４ａ及び対向部１４ｂは、対向電極１２の対向部１２ｂが配置された層と同一の絶縁体層１１に配置されている。即ち、引出部１４ａと対向部１４ｂとは、同一の絶縁体層１１に配置されている。引出部１４ａは、素体４の短手方向に沿って延在している。引出部１４ａの端部１４ｃは、素体４の側面４ｅ側に引き出され、当該側面４ｅに露出しており、外部電極７に接続される。対向部１４ｂは、素体４の長手方向に沿って延在している。
【００２７】
対向電極１６は、素体４の長手方向における、端面４ｂよりも端面４ａに近い位置で、且つ、素体４の短手方向における、側面４ｅよりも側面４ｆに近い位置で配置されている。対向電極１６は、Ｌ字形状を有している。対向電極１６は、引出部１６ａ及び対向部１６ｂを有している。引出部１６ａ及び対向部１６ｂは、対向電極１２の対向部１２ｂが配置された層と同一の絶縁体層１１に配置されている。即ち、引出部１６ａと対向部１６ｂとは、同一の絶縁体層１１に配置されている。引出部１６ａは、素体４の短手方向に沿って延在している。引出部１６ａの端部１６ｃは、素体４の側面４ｆ側に引き出され、当該側面４ｆに露出しており、外部電極６に接続される。対向部１６ｂは、素体４の長手方向に沿って延在している。
【００２８】
対向電極１８は、素体４の長手方向における、端面４ａよりも端面４ｂに近い位置で、且つ、素体４の短手方向における、側面４ｅよりも側面４ｆに近い位置で配置されている。対向電極１８は、Ｌ字形状を有している。対向電極１８は、引出部１８ａ及び対向部１８ｂを有している。引出部１８ａ及び対向部１８ｂは、対向電極１２の対向部１２ｂが配置された層と同一の絶縁体層１１に配置されている。即ち、引出部１８ａと対向部１８ｂとは、同一の絶縁体層１１に配置されている。引出部１８ａは、素体４の短手方向に沿って延在している。引出部１８ａの端部１８ｃは、素体４の側面４ｆ側に引き出され、当該側面４ｆに露出しており、外部電極８に接続される。対向部１８ｂは、素体４の長手方向に沿って延在している。
【００２９】
グラウンド電極２０は、素体４の短手方向における、略中央の位置で配置されている。グラウンド電極２０は、第１引出部２０ａ、第２引出部２０ｂ、第１対向部２０ｃ、及び第２対向部２０ｄを有している。第１引出部２０ａ、第２引出部２０ｂ、第１対向部２０ｃ、及び第２対向部２０ｄは、対向電極１２の対向部１２ｂが配置された層と同一の絶縁体層１１に配置されている。即ち、第１引出部２０ａ、第２引出部２０ｂ、第１対向部２０ｃ、及び第２対向部２０ｄは、同一の絶縁体層１１に配置されている。
【００３０】
第１引出部２０ａは、素体４の長手方向における、端面４ｂよりも端面４ａに近い位置で、且つ、素体４の短手方向における、略中央の位置で配置されている。第１引出部２０ａは、外部電極９に接続される第１部分２０ａ１と、第１対向部２０ｃ及び第２対向部２０ｄに接続される第２部分２０ａ２と、を有している。第１部分２０ａ１は、素体４の長手方向に沿って延在するＩ字形状を有している。第１部分２０ａ１の端部２０ｇは、素体４の端面４ａ側に引き出され、当該端面４ａに露出しており、外部電極９に接続される。第２部分２０ａ２は、第１部分２０ａ１の外部電極９に接続される側の端部２０ｇとは反対側の端部に接続されると共に、第１対向部２０ｃ一端及び第２対向部２０ｄの一端に接続される。
【００３１】
第２引出部２０ｂは、素体４の長手方向における、端面４ａよりも端面４ｂに近い位置で、且つ、素体４の短手方向における、略中央の位置で配置されている。第２引出部２０ｂは、外部電極１０に接続される第１部分２０ｂ１と、第１対向部２０ｃ及び第２対向部２０ｄに接続される第２部分２０ｂ２と、を有している。第１部分２０ｂ１は、素体４の長手方向に沿って延在するＩ字形状を有している。第１部分２０ｂ１の端部２０ｈは、素体４の端面４ｂ側に引き出され、当該端面４ｂに露出しており、外部電極１０に接続される。第２部分２０ｂ２は、第１部分２０ｂ１の外部電極１０に接続される側の端部２０ｈとは反対側の端部に接続されると共に、第１対向部２０ｃ他端及び第２対向部２０ｄの他端に接続される。
【００３２】
第１対向部２０ｃ及び第２対向部２０ｄは、それぞれ素体４の長手方向に延在している。第１対向部２０ｃと第２対向部２０ｄとは、第１引出部２０ａの第２部分２０ａ２にそれぞれの一端が接続されると共に、第２引出部２０ｂの第２部分２０ｂ２にそれぞれの他端が接続される。即ち、第１対向部２０ｃと第２対向部２０ｄとは、第１引出部２０ａの第２部分２０ａ２を介して第１引出部２０ａの第１部分２０ａ１に電気的に接続されると共に、第２引出部２０ｂの第２部分２０ｂ２を介して第２引出部２０ｂの第１部分２０ｂ１に電気的に接続される。
【００３３】
第１対向部２０ｃと第２対向部２０ｄとは、第１引出部２０ａの第２部分２０ａ２と第２引出部２０ｂの第２部分２０ｂ２との間において、素体４の長手方向にそれぞれ延びている。つまり、第１対向部２０ｃと第２対向部２０ｄとは、第１引出部２０ａの第２部分２０ａ２にて分岐するように延び、且つ、第２引出部２０ｂの第２部分２０ｂ２にて分岐するように延びている。第１引出部２０ａの第２部分２０ａ２、第２引出部２０ｂの第２部分２０ｂ２、第１対向部２０ｃ、及び第２対向部２０ｄにより、同一の絶縁体層１１上にループ状の導体パターンが形成されている。
【００３４】
第１対向部２０ｃと第２対向部２０ｄとが延びている方向と略直交する方向、即ち、素体４の短手方向において、第１対向部２０ｃの幅と第２対向部２０ｄの幅との和よりも、第１引出部２０ａの幅は小さい。つまり、第１引出部２０ａが素体４の端面４ａへ露出する部分は、第１対向部２０ｃの幅と第２対向部２０ｄの幅との和よりも小さい。同様にして、素体４の短手方向において、第１対向部２０ｃの幅と第２対向部２０ｄの幅との和よりも、第２引出部２０ｂの幅は小さい。つまり、第２引出部２０ｂが素体４の端面４ｂへ露出する部分は、第１対向部２０ｃの幅と第２対向部２０ｄの幅との和よりも小さい。
【００３５】
第１対向部２０ｃは、対向電極１２の対向部１２ｂ及び対向電極１４の対向部１４ｂと離間して対向配置されている。これにより、対向電極１２の対向部１２ｂとグラウンド電極２０の第１対向部２０ｃとの間に第１放電部ＧＰ１が形成され（図４参照）、対向電極１４の対向部１４ｂとグラウンド電極２０の第１対向部２０ｃとの間に第２放電部ＧＰ２が形成される（図５参照）。このような構成により、外部電極５及び外部電極９の間に所定以上の電圧が印加されると、第１放電部ＧＰ１において放電が生じる。同様にして、外部電極７及び外部電極１０の間に所定以上の電圧が印加されると、第２放電部ＧＰ２において放電が生じる。
【００３６】
第２対向部２０ｄは、対向電極１６の対向部１６ｂ及び対向電極１８の対向部１８ｂと離間して対向配置されている。これにより、対向電極１６の対向部１６ｂとグラウンド電極２０の第２対向部２０ｄとの間に第３放電部ＧＰ３が形成され（図４参照）、対向電極１８の対向部１８ｂとグラウンド電極２０の第２対向部２０ｄとの間に第４放電部ＧＰ４が形成される（図５参照）。このような構成により、外部電極６及び外部電極９の間に所定以上の電圧が印加されると、第３放電部ＧＰ３において放電が生じる。同様にして、外部電極８及び外部電極１０の間に所定以上の電圧が印加されると、第４放電部ＧＰ４において放電が生じる。
【００３７】
放電誘発部２４は、第１放電部ＧＰ１及び第３放電部ＧＰ３に位置し、第１放電部ＧＰ１及び第３放電部ＧＰ３における放電を発生し易くする機能を有している。放電誘発部２４は、対向電極１２の対向部１２ｂとグラウンド電極２０の第１対向部２０ｃとを接続すると共に、対向電極１６の対向部１６ｂとグラウンド電極２０の第２対向部２０ｄとを接続している。
【００３８】
放電誘発部２５は、第２放電部ＧＰ２及び第４放電部ＧＰ４に位置し、第２放電部ＧＰ２及び第４放電部ＧＰ４における放電を発生し易くする機能を有している。放電誘発部２５は、対向電極１４の対向部１４ｂとグラウンド電極２０の第１対向部２０ｃとを接続すると共に、対向電極１８の対向部１８ｂとグラウンド電極２０の第２対向部２０ｄとを接続している。
【００３９】
空洞部２６は、第１放電部ＧＰ１に形成されている。空洞部２６は、対向部１２ｂ、第１対向部２０ｃ、絶縁体層１１、及び放電誘発部２４の、放電時における熱膨張を吸収する機能を有する。空洞部２７は、第２放電部ＧＰ２に形成されている。空洞部２７は、対向部１４ｂ、第１対向部２０ｃ、絶縁体層１１、及び放電誘発部２５の、放電時における熱膨張を吸収する機能を有する。空洞部２８は、第３放電部ＧＰ３に形成されている。空洞部２８は、対向部１６ｂ、第２対向部２０ｄ、絶縁体層１１、及び放電誘発部２４の、放電時における熱膨張を吸収する機能を有する。空洞部２９は、第４放電部ＧＰ４に形成されている。空洞部２９は、対向部１８ｂ、第２対向部２０ｄ、絶縁体層１１、及び放電誘発部２５の、放電時における熱膨張を吸収する機能を有する。
【００４０】
コイルＬ１とコイルＬ２とは、絶縁体層１１の積層方向において、対向電極１２，１４，１６，１８及びグラウンド電極２０が配置された層よりも、素体４の側面４ｃの近くに配置されている。コイルＬ１とコイルＬ２とは、素体４の側面４ｃに近い方からコイルＬ２及びコイルＬ１の順に併置されている。コイルＬ１は、素体４の内部において絶縁体層１１の積層方向に併置される複数の内部導体である導体５１及び導体５２の端部同士が、導体５１及び導体５２の間に位置するスルーホール導体５６で接続されることにより構成されている。導体５１は、スパイラル状を呈している。導体５１及び導体５２は、絶縁体層１１の積層方向に、素体４の側面４ｃに近い方から、導体５１及び導体５２の順に併置されている。
【００４１】
導体５１の端部５１ａは、素体４の側面４ｅまで引き出され、当該側面４ｅに露出しており、外部電極５と接続される。導体５２の端部５２ａは、素体４の側面４ｆまで引き出され、当該側面４ｆに露出しており、外部電極６と接続される。よって、コイルＬ１は、外部電極５及び外部電極６と電気的に接続される。
【００４２】
コイルＬ２は、素体４の内部において絶縁体層１１の積層方向に併置される複数の内部導体である導体５３及び導体５４の端部同士が、導体５３及び導体５４の間に位置するスルーホール導体５５で接続されることにより構成されている。導体５４は、スパイラル状を呈している。導体５３及び導体５４は、絶縁体層１１の積層方向に、素体４の側面４ｄに近い方から、導体５３及び導体５４の順に併置されている。
【００４３】
導体５３の端部５３ａは、素体４の側面４ｅまで引き出され、当該側面４ｅに露出しており、外部電極７と接続される。導体５４の端部５４ａは、素体４の側面４ｆまで引き出され、当該側面４ｆに露出しており、外部電極８と接続される。よって、コイルＬ２は、外部電極７及び外部電極８と電気的に接続される。
【００４４】
コイルＬ１とコイルＬ２とは、スパイラル形状を呈する導体５２及び導体５４が磁気的に結合することで、いわゆるコモンモードフィルタを構成している。
【００４５】
次に、各構成要素の材料について詳細に説明する。
【００４６】
外部電極５〜１０と、対向電極１２，１４，１６，１８と、グラウンド電極２０とは、それぞれＡｇ、Ｐｄ、Ａｕ、Ｐｔ、Ｃｕ、Ｎｉ、Ａｌ、Ｍｏ、又はＷを含有する導体材料によって構成される。外部電極５〜１０は、合金として、Ａｇ／Ｐｄ合金、Ａｇ／Ｃｕ合金、Ａｇ／Ａｕ合金、又はＡｇ／Ｐｔ合金などを用いることができる。
【００４７】
絶縁体層１１は、Ｆｅ２Ｏ３、ＮｉＯ、ＣｕＯ、ＺｎＯ、ＭｇＯ、ＳｉＯ２、ＴｉＯ２、Ｍｎ２Ｏ３、ＳｒＯ、ＣａＯ、ＢａＯ、ＳｎＯ２、Ｋ２О、Ａｌ２Ｏ３、ＺｒＯ２、又はＢ２Ｏ３などの中の単独材料によって構成される。絶縁体層１１は、これらの二種類以上を混合させたセラミック材料によって構成されてもよい。絶縁体層１１には、ガラスが含有されていてもよい。絶縁体層１１には、低温焼結を可能とするために酸化銅（ＣｕＯ又はＣｕ２Ｏ）が含有されていることが好ましい。
【００４８】
各導体５１〜５４、各スルーホール導体５５，５６は、例えばＡｇ又はＰｄなどの導体材料を含んでいる。各導体５１〜５４、各スルーホール導体５５，５６は、上記導体材料を含む導電性ペーストの焼結体として構成される。
【００４９】
放電誘発部２４，２５は、Ｆｅ２Ｏ３、ＮｉＯ、ＣｕＯ、ＺｎＯ、ＭｇＯ、ＳｉＯ２、ＴｉＯ２、Ｍｎ２Ｏ３、ＳｒＯ、ＣａＯ、ＢａＯ、ＳｎＯ２、Ｋ２О、Ａｌ２Ｏ３、ＺｒＯ２、又はＢ２Ｏ３などの中の単独材料を含んで構成される。放電誘発部２４，２５は、これらの二種類以上を混合させた材料を含んで構成されてもよい。放電誘発部２４，２５には、Ａｇ、Ｐｄ、Ａｕ、Ｐｔ、Ａｇ／Ｐｄ合金、Ａｇ／Ｃｕ合金、Ａｇ／Ａｕ合金、又はＡｇ／Ｐｔ合金などの金属粒子が含有されている。放電誘発部２４，２５に金属粒子として含有されている金属材料の融点は、コイルＬ１を構成する各導体５１〜５４に含有されている導体材料の融点よりも高くてもよい。放電誘発部２４，２５には、ＲｕＯ２などの半導体粒子が含有されていることが好ましい。放電誘発部２４，２５には、ガラス又は酸化鉛（ＳｎＯ又はＳｎＯ２）が含有されていてもよい。
【００５０】
次に、図６を参照して、本実施形態における静電気保護部品の製造方法について説明する。図６は、本実施形態に係る静電気保護部品の製造方法を示すフロー図である。
【００５１】
まず、絶縁体層１１を構成する材料のスラリーを調合し（Ｓ１）、絶縁体層１１用のグリーンシートを形成する（Ｓ２）。具体的には、酸化銅（ＣｕＯ）を含む所定量の誘電体粉末と、有機溶剤及び有機バインダを含む有機ビヒクルと、を混合し、絶縁体層１１用のスラリーを調合する。誘電体粉末には、Ｍｇ、Ｃｕ、Ｚｎ、Ｓｉ、又はＳｒの酸化物（他の誘電体材料でもよい）を主成分として含む誘電体材料を用いることができる。その後、ドクターブレード法などによって、ＰＥＴフィルム上にスラリーを塗布し、厚さ２０μｍ程度のグリーンシートを形成する。なお、各絶縁体層１１における各スルーホール導体３１〜３７の形成予定位置には、レーザ加工によって貫通孔が形成されている。
【００５２】
絶縁体層１１用のグリーンシートを形成した後、当該グリーンシートの所定の位置に、放電誘発材料スラリー、導体ペースト、及び溶剤（空洞用ラッカー）をそれぞれ印刷する（Ｓ３）。放電誘発材料スラリーの印刷は、絶縁体層１１用のシートに、焼成後の放電誘発部２４，２５を形成するための放電誘発材料スラリーを調合して塗布することにより行う（Ｓ３Ａ）。具体的には、所定量に秤量した酸化錫、絶縁体、及び導体の各粉末と、有機溶剤及び有機バインダを含む有機ビヒクルと、を混合し、放電誘発材料スラリーを調合する。例えば、酸化錫として工業用のＳｎＯ２を使用でき、絶縁体として誘電体粉末を使用できる。誘電体粉末には、Ｍｇ、Ｃｕ、Ｚｎ、Ｓｉ、又はＳｒの酸化物（他の誘電体材料でもよい）を主成分として含む誘電体材料を用いることができる。導体粉末として、Ａｇ／Ｐｄ粉を用いることができる（Ａｇ、Ｐｄ、Ａｕ、Ｐｔ、又はその混合物若しくは化合物などでもよい）。酸化錫の粒子とＡｇ／Ｐｄ合金の金属粒子が混在する状態となるように、各粉末を十分に混合する。放電誘発材料スラリーは、後述する焼成工程により、放電誘発部２４，２５となる。
【００５３】
導体ペーストの印刷は、絶縁体層１１用のグリーンシートに、導体パターンを形成するための導体ペーストをスクリーン印刷などによって塗布することにより行う（Ｓ３Ｂ）。導体パターンは、後述する焼成工程により、各導体５１〜５４、対向電極１２，１４，１６，１８、及び、グラウンド電極２０となる。各導体パターンは、スクリーン印刷した後、乾燥することによって形成される。貫通孔には、各導体パターンの形成の際に導体ペーストが充填される。貫通孔に充填された導体ペーストは、後述する焼成工程により、各スルーホール導体５５，５６となる。
【００５４】
空洞用ラッカーの印刷は、絶縁体層１１用のグリーンシートに、既に印刷された対向電極１２の対向部１２ｂ及びグラウンド電極２０の第１対向部２０ｃを形成するための導体ペーストと、既に印刷された対向電極１４の対向部１４ｂ及びグラウンド電極２０の第１対向部２０ｃを形成するための導体ペーストと、既に印刷された対向電極１６の対向部１６ｂ及びグラウンド電極２０の第２対向部２０ｄを形成するための導体ペーストと、既に印刷された対向電極１８の対向部１８ｂ及びグラウンド電極２０の第２対向部１２ｄを形成するための導体ペーストと、をそれぞれ覆うように、空洞用ラッカーを塗布することにより行う（Ｓ３Ｃ）。空洞用ラッカーは、空洞部２６，２７，２８，２９を形成するための塗料である。
【００５５】
放電誘発材料スラリー、導体ペースト、及び空洞用ラッカーが印刷された絶縁体層１１用のグリーンシートを、順次積層させ（Ｓ４）、プレスし（Ｓ５）、個々の静電気保護部品１の大きさになるように積層体を切断する（Ｓ６）。絶縁体層１１用のグリーンシートの積層順序は、焼成後に形成される各構成の積層方向における順序が、回路基板に対する実装面である素体４の側面４ｃに近い方から順に、各導体５１〜５４、放電誘発部２４，２５、引出部１２ａ，１４ａ，１６ａ，１８ａ、第１引出部２０ａ及び第２引出部２０ｂ、対向部１２ｂ，１４ｂ，１６ｂ，１８ｂ、第１対向部２０ｃ及び第２対向部２０ｄ、並びに空洞部２６〜２９となるように編集する。
【００５６】
続いて、絶縁体層１１用のグリーンシートの積層体が切断されて得られた各グリーンチップのバレル研磨を行う（Ｓ７）。これにより、角部や稜線が丸められたグリーンチップが得られる。
【００５７】
次に、バレル研磨工程の後、グリーンチップを所定の条件（例えば、大気中で８５０〜９５０℃で２時間）焼成する（Ｓ８）。これにより、グリーンチップは、焼成により、素体４となる。これにより、対向部１２ｂ及び第１対向部２０ｃの間に第１放電部ＧＰ１、対向部１４ｂ及び第１対向部２０ｃの間に第２放電部ＧＰ２、対向部１６ｂ及び第２対向部２０ｄの間に第３放電部ＧＰ３、並びに、対向部１８ｂ及び第２対向部２０ｄの間に第４放電部ＧＰ４が形成される。また、焼成工程では、空洞用ラッカーが消失し、第１放電部ＧＰ１を覆う空洞部２６、第２放電部ＧＰ２を覆う空洞部２７、第３放電部ＧＰ３を覆う空洞部２８、及び、第４放電部ＧＰ４を覆う空洞部２９が形成される。即ち、焼成工程を経ることにより、第１放電部ＧＰ１、第２放電部ＧＰ２、第３放電部ＧＰ３、及び、第４放電部ＧＰ４が備えられた中間体が得られる。
【００５８】
続いて、素体４に外部電極５〜１０用の導体ペーストを塗布し（Ｓ９）、所定条件（例えば、大気中で６００〜８００℃で２時間）にて熱処理を行い、外部電極５〜１０を焼き付けて形成する（Ｓ１０）。その後、外部電極５〜１０の表面にめっきを施す（Ｓ１２）。めっきは、電解めっきが好ましく、例えば、Ｎｉ／Ｓｎ、Ｃｕ／Ｎｉ／Ｓｎ、Ｎｉ／Ｐｄ／Ａｕ、Ｎｉ／Ｐｄ／Ａｇ、Ｎｉ／Ａｇなどを用いることができる。
【００５９】
以上の過程を経て、静電気保護部品１Ａが得られる。
【００６０】
以上、本実施形態に係る静電気保護部品１Ａによれば、グラウンド電極２０における、第１引出部２０ａ及び第２引出部２０ｂのそれぞれの幅が、第１対向部２０ｃの幅と第２対向部２０ｄの幅との和よりも小さいので、第１引出部２０ａにおける、素体４の端面４ａへ露出する部分、及び、第２引出部２０ｂにおける、素体４の端面４ｂへ露出する部分が、第１対向部２０ｃの幅と第２対向部２０ｄの幅との和よりも小さい。よって、グラウンド電極２０の幅が一定のまま素体４の外表面へ引き出される場合よりも、グラウンド電極２０における、素体４の外表面へ露出する部分の大きさが小さい。したがって、当該露出する部分から素体４の内部へめっき液が侵入することを抑制することができ、且つ、全体としてグラウンド電極２０が小さくなる分、浮遊容量を低減することができる。さらに、グラウンド電極２０の第１対向部２０ｃと第２対向部２０ｄとは、第１引出部２０ａにおける、第１対向部２０ｃ及び第２対向部２０ｄと同一の層に配置された第２部分２０ａ２にそれぞれの一端が接続されると共に、第２引出部２０ｂにおける、第１対向部２０ｃ及び第２対向部２０ｄと同一の層に配置された第２部分２０ａ２にそれぞれの他端が接続される。つまり、第１対向部２０ｃ及び第２対向部２０ｄは、第１引出部２０ａの第２部分２０ａ２にて分岐するように延び、且つ、第２引出部２０ｂの第２部分２０ｂ２にて分岐するように延びている。このため、第１引出部２０ａにおける、素体４の端面４ａへ露出する部分からめっき液が侵入した場合であっても、当該めっき液の侵入経路は、第１引出部２０ａの第１部分２０ａ１を通った後、第１引出部２０ａの第２部分２０ａ２にて分岐される。同様にして、第２引出部２０ｂにおける、素体４の端面４ｂへ露出する部分からめっき液が侵入した場合であっても、当該めっき液の侵入経路は、第２引出部２０ｂの第１部分２０ｂ１を通った後、第２引出部２０ｂの第２部分２０ｂ２にて分岐される。したがって、第１対向部２０ｃ及び第２対向部２０ｄにまでめっき液が侵入することを抑制することができる。以上より、第１放電部ＧＰ１、第２放電部ＧＰ２、第３放電部ＧＰ３、及び第４放電部ＧＰ４にめっき液が侵入することを抑制し、且つ、浮遊容量を低減することができる。
【００６１】
（第２実施形態）
次に、図１及び図７〜図１０を参照して、第２実施形態に係る静電気保護部品の構成を説明する。図７は、第２実施形態に係る素体の構成を示す分解斜視図である。図８は、図７の第１〜第４放電部を含む部分の構成を示す分解斜視図である。図９は、第２実施形態に係る静電気保護部品の、第１放電部及び第３放電部を含む断面構成を示す図である。図１０は、第２実施形態に係る静電気保護部品の、第２放電部及び第４放電部を含む断面構成を示す図である。
【００６２】
第２実施形態に係る静電気保護部品１Ｂは、第１実施形態に係る静電気保護部品１Ａ同様、略直方体形状を呈する素体４と、素体４の外表面に配置された外部電極５〜１０と、素体４の内部に配置されたコイルＬ１，Ｌ２と、を備えている。素体４と、外部電極５〜１０とコイルＬ１，Ｌ２の構成は、第１実施形態と同様である（図１及び図２参照）。図７〜図１０に示されるように、第２実施形態に係る静電気保護部品１Ｂにおいては、第１〜第４放電部を含む部分の構成が、第１実施形態に係る静電気保護部品１Ａとは異なっている。具体的には、対向電極１２，１４，１６，１８、グラウンド電極２０、第１放電部ＧＰ１、第２放電部ＧＰ２、第３放電部ＧＰ３、第４放電部ＧＰ４、放電誘発部２４，２５、及び、空洞部２６〜２９の代わりに、静電気保護部品１Ｂは、対向電極３０，３２，３４，３６、グラウンド電極３８、第１放電部ＧＰ５、第２放電部ＧＰ６、第３放電部ＧＰ７、第４放電部ＧＰ８、放電誘発部４２，４３、及び、空洞部４４〜４８、を備えている。
【００６３】
対向電極３０は、素体４の長手方向における、端面４ｂよりも端面４ａに近い位置で、且つ、素体４の短手方向における、側面４ｆよりも側面４ｅに近い位置で配置されている。対向電極３０は、引出部３０ａ及び対向部３０ｂを有している（図８参照）。引出部３０ａと対向部３０ｂとは、互いに異なる絶縁体層１１に配置されている。引出部３０ａは、素体４の短手方向に沿って延在するＩ字形状を有している。引出部３０ａの端部３０ｃは、素体４の側面４ｅ側に引き出され、当該側面４ｅに露出しており、外部電極５に接続される。対向部３０ｂは、素体４の長手方向に沿って延在するＩ字形状を有している。対向部３０ｂは、対向部３０ｂと引出部３０ａとの間に位置するスルーホール導体３１を介して、引出部３０ａに電気的に接続される。
【００６４】
対向電極３２は、素体４の長手方向における、端面４ａよりも端面４ｂに近い位置で、且つ、素体４の短手方向における、側面４ｆよりも側面４ｅに近い位置で配置されている。対向電極３２は、引出部３２ａ及び対向部３２ｂを有している。引出部３２ａは、対向電極３０の対向部３０ｂが配置された層とは別の絶縁体層１１に配置され、対向部３２ｂは、対向電極３０の対向部３０ｂが配置された層と同一の絶縁体層１１に配置されている。即ち、引出部３２ａと対向部３２ｂとは、互いに異なる絶縁体層１１に配置されている。引出部３２ａは、素体４の短手方向に沿って延在するＩ字形状を有している。引出部３２ａの端部３２ｃは、素体４の側面４ｅ側に引き出され、当該側面４ｅに露出しており、外部電極７に接続される。対向部３２ｂは、素体４の長手方向に沿って延在するＩ字形状を有している。対向部３２ｂは、対向部３２ｂと引出部３２ａとの間に位置するスルーホール導体３３を介して、引出部３２ａに電気的に接続される。
【００６５】
対向電極３４は、素体４の長手方向における、端面４ｂよりも端面４ａに近い位置で、且つ、素体４の短手方向における、側面４ｅよりも側面４ｆに近い位置で配置されている。対向電極３４は、引出部３４ａ及び対向部３４ｂを有している。引出部３４ａは、対向電極３０の対向部３０ｂが配置された層とは別の絶縁体層１１に配置され、対向部３４ｂは、対向電極３０の対向部３０ｂが配置された層と同一の絶縁体層１１に配置されている。即ち、引出部３４ａと対向部３４ｂとは、互いに異なる絶縁体層１１に配置されている。引出部３４ａは、素体４の短手方向に沿って延在するＩ字形状を有している。引出部３４ａの端部３４ｃは、素体４の側面４ｆ側に引き出され、当該側面４ｆに露出しており、外部電極６に接続される。対向部３４ｂは、素体４の長手方向に沿って延在するＩ字形状を有している。対向部３４ｂは、対向部３４ｂと引出部３４ａとの間に位置するスルーホール導体３５を介して、引出部３４ａに電気的に接続される。
【００６６】
対向電極３６は、素体４の長手方向における、端面４ａよりも端面４ｂに近い位置で、且つ、素体４の短手方向における、側面４ｅよりも側面４ｆに近い位置で配置されている。対向電極３６は、引出部３６ａ及び対向部３６ｂを有している。引出部３６ａは、対向電極３０の対向部３０ｂが配置された層とは別の絶縁体層１１に配置され、対向部３６ｂは、対向電極３０の対向部３０ｂが配置された層と同一の絶縁体層１１に配置されている。即ち、引出部３６ａと対向部３６ｂとは、互いに異なる絶縁体層１１に配置されている。引出部３６ａは、素体４の短手方向に沿って延在するＩ字形状を有している。引出部３６ａの端部３６ｃは、素体４の側面４ｆ側に引き出され、当該側面４ｆに露出しており、外部電極８に接続される。対向部３６ｂは、素体４の長手方向に沿って延在するＩ字形状を有している。対向部３６ｂは、対向部３６ｂと引出部３６ａとの間に位置するスルーホール導体３７を介して、引出部３６ａに電気的に接続される。
【００６７】
グラウンド電極３８は、素体４の短手方向における、略中央の位置で配置されている。グラウンド電極３８は、第１引出部３８ａ、第２引出部３８ｂ、第１対向部３８ｃ、及び第２対向部３８ｄを有している。第１対向部３８ｃ及び第２対向部３８ｄは、対向電極３０の対向部３０ｂが配置された層と同一の絶縁体層１１に配置されている。
【００６８】
第１引出部３８ａは、素体４の長手方向における、端面４ｂよりも端面４ａに近い位置で、且つ、素体４の短手方向における、略中央の位置で配置されている。第１引出部３８ａは、第１対向部３８ｃ及び第２対向部３８ｄが配置された層とは別の絶縁体層１１に配置され、且つ、外部電極９に接続される第１部分３８ａ１と、第１対向部３８ｃ及び第２対向部３８ｄが配置された層と同一の層に配置され、且つ、第１対向部３８ｃ及び第２対向部３８ｄのそれぞれの一端に接続される第２部分３８ａ２と、を有している。即ち、第１引出部３８ａの第１部分３８ａ１と、第１引出部３８ａの第２部分３８ａ２とは、互いに異なる層に配置されている。第１部分３８ａ１は、素体４の長手方向に沿って延在するＩ字形状を有している。第１部分３８ａ１の端部３８ｇは、素体４の端面４ａ側に引き出され、当該端面４ａに露出しており、外部電極９に接続される。第２部分３８ａ２は、第１部分３８ａ１の外部電極９に接続される側の端部３８ｇとは反対側の端部にスルーホール導体３９を介して電気的に接続されると共に、第１対向部３８ｃ一端及び第２対向部３８ｄの一端に接続される。
【００６９】
第２引出部３８ｂは、素体４の長手方向における、端面４ａよりも端面４ｂに近い位置で、且つ、素体４の短手方向における、略中央の位置で配置されている。第２引出部３８ｂは、第１対向部３８ｃ及び第２対向部３８ｄが配置された層とは別の絶縁体層１１に配置され、且つ、外部電極１０に接続される第１部分３８ｂ１と、第１対向部３８ｃ及び第２対向部３８ｄが配置された層と同一の層に配置され、且つ、第１対向部３８ｃ及び第２対向部３８ｄのそれぞれの他端に接続される第２部分３８ｂ２と、を有している。即ち、第２引出部３８ｂの第１部分３８ｂ１と、第２引出部３８ｂの第２部分３８ｂ２とは、互いに異なる層に配置されている。第１部分３８ｂ１は、素体４長手方向に沿って延在するＩ字形状を有している。第１部分３８ｂ１の端部３８ｈは、素体４の端面４ｂ側に引き出され、当該端面４ｂに露出しており、外部電極１０に接続される。第２部分３８ｂ２は、第１部分３８ｂ１の外部電極９に接続される側の端部３８ｈとは反対側の端部にスルーホール導体４０を介して電気的に接続されると共に、第１対向部３８ｃ他端及び第２対向部３８ｄの他端に接続される。
【００７０】
第１対向部３８ｃ及び第２対向部３８ｄは、それぞれ素体４の長手方向に延在している。第１対向部３８ｃと第２対向部３８ｄとは、第１引出部３８ａの第２部分３８ａ２にそれぞれの一端が接続されると共に、第２引出部３８ｂの第２部分３８ｂ２にそれぞれの他端が接続される。即ち、第１対向部３８ｃと第２対向部３８ｄとは、第１引出部３８ａの第２部分３８ａ２を介して第１引出部３８ａの第１部分３８ａ１に電気的に接続されると共に、第２引出部３８ｂの第２部分３８ｂ２を介して第２引出部３８ｂの第１部分３８ｂ１に電気的に接続される。
【００７１】
第１対向部３８ｃと第２対向部３８ｄとは、第１引出部３８ａの第２部分３８ａ２と第２引出部３８ｂの第２部分３８ｂ２との間において、素体４の長手方向にそれぞれ延びている。つまり、第１対向部３８ｃと第２対向部３８ｄとは、第１引出部３８ａの第２部分３８ａ２にて分岐するように延び、且つ、第２引出部３８ｂの第２部分３８ｂ２にて分岐するように延びている。第１引出部３８ａの第２部分３８ａ２、第２引出部３８ｂの第２部分３８ｂ２、第１対向部３８ｃ、及び第２対向部３８ｄにより、同一の絶縁体層１１上にループ状の導体パターンが形成されている。
【００７２】
第１対向部３８ｃと第２対向部３８ｄとが延びている方向と略直交する方向、即ち、素体４の短手方向において、第１対向部３８ｃの幅と第２対向部３８ｄの幅との和よりも、第１引出部３８ａの幅は小さい。つまり、第１引出部３８ａが素体４の端面４ａへ露出する部分は、第１対向部３８ｃの幅と第２対向部３８ｄの幅との和よりも小さい。同様にして、素体４の短手方向において、第１対向部３８ｃの幅と第２対向部３８ｄの幅との和よりも、第２引出部３８ｂの幅は小さい。つまり、第２引出部３８ｂが素体４の端面４ｂへ露出する部分は、第１対向部３８ｃの幅と第２対向部３８ｄの幅との和よりも小さい。
【００７３】
第１対向部３８ｃは、対向電極３０の対向部３０ｂ及び対向電極３２の対向部３２ｂと離間して対向配置されている。これにより、対向電極３０の対向部３０ｂとグラウンド電極３８の第１対向部３８ｃとの間に第１放電部ＧＰ５が形成され（図９参照）、対向電極３２の対向部３２ｂとグラウンド電極３８の第１対向部３８ｃとの間に第２放電部ＧＰ６が形成される（図１０参照）。このような構成により、外部電極５及び外部電極９の間に所定以上の電圧が印加されると、第１放電部ＧＰ５において放電が生じる。同様にして、外部電極７及び外部電極１０の間に所定以上の電圧が印加されると、第２放電部ＧＰ６において放電が生じる。
【００７４】
第２対向部３８ｄは、対向電極３４の対向部３４ｂ及び対向電極３６の対向部３６ｂと離間して対向配置されている。これにより、対向電極３４の対向部３４ｂとグラウンド電極３８の第２対向部３８ｄとの間に第３放電部ＧＰ７が形成され（図９参照）、対向電極３６の対向部３６ｂとグラウンド電極３８の第２対向部３８ｄとの間に第４放電部ＧＰ８が形成される（図１０参照）。このような構成により、外部電極６及び外部電極９の間に所定以上の電圧が印加されると、第３放電部ＧＰ７において放電が生じる。同様にして、外部電極８及び外部電極１０の間に所定以上の電圧が印加されると、第４放電部ＧＰ８において放電が生じる。
【００７５】
放電誘発部４２は、第１放電部ＧＰ５及び第３放電部ＧＰ７に位置し、第１放電部ＧＰ５及び第３放電部ＧＰ７における放電を発生し易くする機能を有している。放電誘発部４２は、対向電極３０の対向部３０ｂとグラウンド電極３８の第１対向部３８ｃとを接続すると共に、対向電極３４の対向部３４ｂとグラウンド電極３８の第２対向部３８ｄとを接続している。
【００７６】
放電誘発部４３は、第２放電部ＧＰ６及び第４放電部ＧＰ８に位置し、第２放電部ＧＰ６及び第４放電部ＧＰ８における放電を発生し易くする機能を有している。放電誘発部４３は、対向電極３２の対向部３２ｂとグラウンド電極３８の第１対向部３８ｃとを接続すると共に、対向電極３６の対向部３６ｂとグラウンド電極３８の第２対向部３８ｄとを接続している。
【００７７】
空洞部４４は、第１放電部ＧＰ５に形成されている。空洞部４４は、対向部３０ｂ、第１対向部３８ｃ、絶縁体層１１、及び放電誘発部４２の、放電時における熱膨張を吸収する機能を有する。空洞部４５は、第２放電部ＧＰ６に形成されている。空洞部４５は、対向部３２ｂ、第１対向部３８ｃ、絶縁体層１１、及び放電誘発部４３の、放電時における熱膨張を吸収する機能を有する。空洞部４６は、第３放電部ＧＰ７に形成されている。空洞部４６は、対向部３４ｂ、第２対向部３８ｄ、絶縁体層１１、及び放電誘発部４２の、放電時における熱膨張を吸収する機能を有する。空洞部４７は、第４放電部ＧＰ８に形成されている。空洞部４７は、対向部３６ｂ、第２対向部３８ｄ、絶縁体層１１、及び放電誘発部４３の、放電時における熱膨張を吸収する機能を有する。
【００７８】
以上、本実施形態における静電気保護部品１Ｂについても、上記実施形態と同様の効果を奏する。即ち、本実施形態に係る静電気保護部品１Ｂによれば、グラウンド電極３８における、第１引出部３８ａ及び第２引出部３８ｂのそれぞれの幅が、第１対向部３８ｃの幅と第２対向部３８ｄの幅との和よりも小さいので、第１引出部３８ａにおける、素体４の端面４ａへ露出する部分、及び、第２引出部３８ｂにおける、素体４の端面４ｂへ露出する部分が、第１対向部３８ｃの幅と第２対向部３８ｄの幅との和よりも小さい。よって、グラウンド電極３８の幅が一定のまま素体４の外表面へ引き出される場合よりも、グラウンド電極３８における、素体４の外表面へ露出する部分の大きさが小さい。したがって、当該露出する部分から素体４の内部へめっき液が侵入することを抑制することができ、且つ、全体としてグラウンド電極３８が小さくなる分、浮遊容量を低減することができる。さらに、グラウンド電極３８の第１対向部３８ｃと第２対向部３８ｄとは、第１引出部３８ａにおける、第１対向部３８ｃ及び第２対向部３８ｄと同一の層に配置された第２部分３８ａ２にそれぞれの一端が接続されると共に、第２引出部３８ｂにおける、第１対向部３８ｃ及び第２対向部３８ｄと同一の層に配置された第２部分２０ｂ２にそれぞれの他端が接続される。つまり、第１対向部３８ｃ及び第２対向部３８ｄは、第１引出部３８ａの第２部分３８ｂ２にて分岐するように延び、且つ、第２引出部３８ｂの第２部分３８ｂ２にて分岐するように延びている。このため、第１引出部３８ａにおける、素体４の端面４ａへ露出する部分からめっき液が侵入した場合であっても、当該めっき液の侵入経路は、第１引出部３８ａの第１部分３８ａ１を通った後、第１引出部３８ａの第２部分３８ａ２にて分岐される。同様にして、第２引出部３８ｂにおける、素体４の端面４ｂへ露出する部分からめっき液が侵入した場合であっても、当該めっき液の侵入経路は、第２引出部３８ｂの第１部分３８ｂ１を通った後、第２引出部３８ｂの第２部分３８ｂ２にて分岐される。したがって、第１対向部３８ｃ及び第２対向部３８ｄにまでめっき液が侵入することを抑制することができる。以上より、第１放電部ＧＰ５、第２放電部ＧＰ６、第３放電部ＧＰ７、及び第４放電部ＧＰ８にめっき液が侵入することを抑制し、且つ、浮遊容量を低減することができる。
【００７９】
更に、本実施形態に係る静電気保護部品１Ｂによれば、第１引出部３８ａの第１部分３８ａ１及び第２引出部３８ｂの第１部分３８ａ１と、第１引出部３８ａの第２部分３８ａ２及び第２引出部３８ｂの第２部分３８ａ２とが、異なる層に配置されると共にスルーホール導体３９，４０を介して電気的に接続されている。したがって、同一の層内における電極の面積を少なくすることができ、絶縁体層１１同士の密着性が向上するので、構造上の欠陥が発生する可能性を低くすることができる。したがって、構造上の欠陥によるめっき液の侵入を抑制することができる。
【００８０】
以上、本発明の好適な実施形態について説明したが、本発明は上記実施形態に限定されるものではなく、各請求項に記載した要旨を変更しない範囲で変形し、又は他のものに適用したものであってもよい。
【００８１】
例えば、静電気保護部品１Ａ及び１Ｂは、コイルＬ１，コイルＬ２を備えていなくてもよい。
【００８２】
また、上記第２実施形態に係る静電気保護部品１Ｂでは、第１引出部３８ａの第１部分３８ａ１及び第２引出部３８ｂの第１部分３８ａ１と、第１引出部３８ａの第２部分３８ａ２及び第２引出部３８ｂの第２部分３８ａ２とが、異なる層に配置されると共にスルーホール導体３９，４０を介して電気的に接続されているが、これに限られず、第１引出部３８ａ及び第２引出部３８ｂの少なくとも１つにおいて、第１部分３８ａ１，３８ｂ１と第２部分３８ａ２，３８ｂ２とが、異なる層に配置されると共にスルーホール導体３９，４０を介して電気的に接続されていてもよい。
【符号の説明】
【００８３】
１Ａ，１Ｂ…静電気保護部品、４…素体、５〜１０…外部電極、１１…絶縁体層、１２，１４，１６，１８，３０，３２，３４，３６…対向電極、２０，３８…グラウンド電極、２０ａ，３８ａ…第１引出部、２０ａ１，３８ａ１…第１部分、２０ａ２，３８ａ２…第２部分、２０ｂ，３８ｂ…第２引出部、２０ｂ１，３８ｂ１…第１部分、２０ｂ２，３８ｂ２…第２部分、２０ｃ，３８ｃ…第１対向部、２０ｄ，３８ｄ…第２対向部、３９，４０…スルーホール導体、ＧＰ１，ＧＰ５…第１放電部、ＧＰ２，ＧＰ６…第２放電部、ＧＰ３，ＧＰ７…第３放電部、ＧＰ４，ＧＰ８…第４放電部。
【図１】
2015125913.tif 000003
【図２】
2015125913.tif 000004
【図３】
2015125913.tif 000005
【図４】
2015125913.tif 000006
【図５】
2015125913.tif 000007
【図６】
2015125913.tif 000008
【図７】
2015125913.tif 000009
【図８】
2015125913.tif 000010
【図９】
2015125913.tif 000011
【図１０】
2015125913.tif 000012